(57)【要約】  本発明は、特に木製の２つのワークピース（２、３）のためのコネクタ（１）に関するものであり、このコネクタは、第１および第２の取付具であって、それぞれの一方の面（６、７）によってワークピース（２、３）のうちの１つに取り付けることができ、それぞれ他方の面（１０、１１）によって互いに固定することができ、それらの一方の面および他方の面（６、７、１０、１１）の間に周囲を取り巻く端面（１２、１３）をそれぞれ持つ、第１および第２の取付具を備え、少なくとも第１の取付具（４）は他方の面（１０）にアンダーカット（１５）を有する突起（１４）を有し、第２の取付具（５）はその端面（１３）から始まりアンダーカット（１５）と対応し、突起（１４）を固定するためのスロット（１６）を有し、取付具（４、５）のうち少なくとも１つは他方の面（１０、１１）に、突起（１４）がスロット（１６）に固定された位置にあるとき、もう一方の取付具（４、５）の端面（１２、１３）を載置するためのスロットの方向に対して横方向に延びる突出部（１７）を有する。
2020534455.tif 000002
【特許請求の範囲】
【請求項１】
特に木製の２つのワークピースのためのコネクタであって、
第１および第２の取付具（４、５）であって、それぞれの一方の面（６、７）によって前記ワークピース（２、３）のうち１つにそれぞれ取り付けることができ、それらの他方の面（１０、１１）によって互いに固定することができ、それらの一方の面および他方の面（６、７、１０、１１）の間に周囲を取り巻く端面（１２、１３）をそれぞれ持つ、第１および第２の取付具（４、５）を備え、
ここで少なくとも前記第１の取付具（４）はその前記他方の面（１０）にアンダーカット（１５）を有する突起（１４）を有し、前記第２の取付具（５）は、その前記端面（１３）から始まり前記アンダーカット（１５）に対応し、前記突起（１４）を固定するためのスロット（１６）を有し、ここで前記取付具（４、５）のうち少なくとも１つはその前記他方の面（１０、１１）に、前記突起（１４）が前記スロット（１６）に固定された位置にあるとき、もう一方の前記取付具（４、５）の前記端面（１２、１３）を載置するための前記スロット（１６）の方向に対して横方向に延びる突出部（１７）を有し、
前記突起（１４）が、前記他方の面（１０）から突出し広がったヘッド（２３）を有するスタッド（２２）によって形成され、前記スタッド（２２）は前記第１の取付具（４）上を軸方向に移動可能なように取り付けられ、前記スタッド（２２）はその前記ヘッド（２３）が前記第１の取付具（４）の前記一方の面（６）に向かったばね仕掛けであることを特徴とする、
コネクタ。
【請求項２】
前記突出部（１７）が前記取付具（４、５）に一体的に形成されるか、またはそれに溶接されていることを特徴とする、請求項１に記載のコネクタ。
【請求項３】
前記突出部（１７）が、立方形であり、前記ワークピース（２、３）の１つに取り付けるためのスクリュー（９、１９）を受け入れるための孔（８’、１８）によって貫通されていることを特徴とする、請求項１または２に記載のコネクタ。
【請求項４】
前記孔（１８）の少なくとも１つが、前記取付具（４、５）の前記一方の面（６、７）に対して鋭角（α）で前記突出部（１７）を貫通し、前記突出部（１７）が、この前記孔（１８）が開始する場所から、面取り部（２０）を有することを特徴とする、請求項３に記載のコネクタ。
【請求項５】
前記孔（８’、１８）の少なくとも１つが、前記取付具（４、５）の前記一方の面（６、７）に円筒状の拡張部（２１）を有することを特徴とする、請求項３または４に記載のコネクタ。
【請求項６】
前記取付具（４、５）が実質的に合同であり、前記スロット（１６）にほぼ平行な端部（１２’、１２”、１３’、１３”）を有し、ここでチーク（２７）が少なくとも１つの前記取付具（４、５）の前記端部（１２’、１２”、１３’、１３”）に形成され、前記突起（１４）が前記スロット（１６）に固定された位置にあるときに、もう一方の前記取付具（４、５）が前記チークの間に横方向に保持されることを特徴とする、請求項１〜５のいずれか１項に記載のコネクタ。
【請求項７】
前記スロット（１６）がＶ字形の口部（１６’）を有することを特徴とする、請求項１〜６のいずれか１項に記載のコネクタ。
【請求項８】
両方の前記取付具（４、５）が同一の形状を有するか、または互いに鏡面対称であることを特徴とする、請求項１〜７のいずれか１項に記載のコネクタ。 
【発明の詳細な説明】
【発明の詳細な説明】
【０００１】
〔技術分野〕
本発明は、特に木製の２つのワークピースのためのコネクタに関するものであり、このコネクタは、第１および第２の取付具であって、それぞれの一方の面によってワークピースのうちの１つにそれぞれ取り付けることができ、それらの他方の面によってもう一方に固定することができ、それらの一方の面および他方の面の間に周囲を取り巻く端面をそれぞれ持つ、第１および第２の取付具を備え、ここで少なくとも第１の取付具はその他方の面にアンダーカットを有する突起を有し、第２の取付具はその端面から始まりアンダーカットと対応し、突起を固定するためのスロットを有する。
【０００２】
〔背景技術〕
この種のコネクタは、例えばＤＥ  １０２  ２７  ６６１  Ｂ３およびＥＰ  １  ８５６  ４１７  Ｂ１により公知であり、オーストリア、ユーラスフェルドのＫｎａｐｐ  ＧｍｂＨ社によって商標ＲＩＣＯＮ（登録商標）Ｓで販売されている。それらは、例えば、主梁、第２または直交の梁、クロスパス、トラス、柱、支柱、壁などの、接続のために木材工学の分野において重い負荷を支えることができる接続の構築に特に適している。取付具は通常、金属、例えば高強度アルミニウムで作られ、接続されるワークピースは通常、木、例えば接着集成板、集成梁などで作られる。少なくとも１つのワークピースは、代わりに、例えば、コンクリート、石材、積み石、または金属でも作られてもよい。
【０００３】
文献、ＤＥ  １０３  ２６  １９６  Ｂ３およびＧＢ  １  ０８７  ４０１  Ａはまた、一方の取付具が、他方の取付具を支持するためのスロットの方向に対して横方向に延びる突出部を一方の面に有するコネクタを記載している。
【０００４】
〔発明の概要〕
本発明の目的は、その負荷支持能力、耐久性、および全体サイズに関して、この種の接続をさらに改善して、一定の重量または一定の全体サイズを以て、より大きな力に永続的に耐えることができるようにすることである。
【０００５】
この目的は、導入部に記載された種のコネクタによって達成され、少なくとも取付具の１つは他方の面に、突起がスロットに固定された位置にあるとき、もう一方の取付具の端面を載置するためのスロットの方向に対して横方向に延びる突出部を有し、本発明によれば、突起が、前記他方の面から突出し広がったヘッドを有するスタッドによって形成され、前記スタッドは、第１の取付具上を軸方向に移動可能なように取り付けられ、その前記ヘッドが第１の取付具の一方の面に向かったばね仕掛けであることを特徴とする。
【０００６】
この種のコネクタでは、２つのワークピースによってコネクタに作用する力、特に支持力を支えるのは突起およびスロットだけではなく、その代わりに、その少なくとも重要な部分は少なくとも１つの他の取付具の突出部を支持する取付具の端面によって支えられる。スタッドはまた、容易に製造することができる。第１の取付具にスタッドを取り付けることにより、一方ではワークピースの不正確さを相殺することができ、もう一方では、例えば地震の際等に発生する衝撃荷重を、ばねによって吸収し、したがって、コネクタが損害を被ることなくワークピースから離しておくことができる。したがって、コネクタは、２つの取付具のお互いに対する不変の確実な固定を以て、一定の全体的な高さでより大きな力、またはより小さな全体サイズで同じ力に、永続的に耐えることができる。
【０００７】
突出部は、ここで、特定の取付具にねじ留めされてもよい。しかしながら、突出部は、好ましくは取付具上に一体的に形成されるか、または取付具に溶接される場合に、特に大きな力を吸収し得る。
【０００８】
突出部は、立方形であり、ワークピースの１つに取り付けるためのスクリューを受け入れるための孔によって貫通されていることが好ましい。これはコンパクトで頑丈な突出部を同時にもたらし、これはワークピースに直接的に力を伝達することができる。孔の少なくとも１つが、取付具の一方の面に対して鋭角で突出部を貫通し、突出部が、孔が開始する面取り部を有することが好都合である。これは、ワークピース内への力を傾けて導入することにつながり、特にワークピースが木製であり取付具がその端面に取り付けられている場合に、ワークピースの端面の膨張またはひび割れを妨げる。面取り部の結果として、スクリューもまた、より容易に取り付けられ、突出部に対する改善された嵌合を有することができる。
【０００９】
有利な実施形態では、孔の少なくとも１つが、取付具の一方の面に円筒状の拡張部を有する。前記円筒状の拡張部は、取付具の取り付け前に例えばワークピースに取り付けられたスクリューの頭部上に取り付けることができ、このようにして、取付具は、ワークピースに取り付けるために確実に位置決めすることができる。
【００１０】
また、取付具が実質的に合同であり、前記スロットにほぼ平行な端部を有し、ここでチークが少なくとも１つの取付具の端部に形成され、突起がスロットに固定された位置にあるときに、もう一方の取付具がチークの間に横方向に保持される場合が、特に好ましい。このようにして、せん断力のような横方向の力もまた、チークによって少なくとも部分的に吸収されることができ、したがって、突起の負荷は、さらに低減されることができる。したがって、さらに、コネクタは、突起またはスロットに過負荷をかけることなく、−垂直なスロットを有するその通常の取り付け方向と比較して−傾けて、または水平でさえも使用することができる。
【００１１】
２つの取付具を互いに固定するときに、突起のアンダーカットをスロット内に円滑に挿入するために、スロットは好ましくはＶ字形の口部を有する。
【００１２】
２つの取付具は、一方では互いに完全に異なっていてもよく、ここで、第１の取付具のみが突起を有し、第２の取付具はスロットを有し、取付具のうちの１つのみが前記ストップを有し、かつ／または取付具のうちの１つのみが前記任意のチークを有する。しかしながら、両方の取付具は、好ましくは同一の形状を有するか、または互いに対して鏡面対称である。このようにして、コネクタの構造および取扱いは、特に、取付具が同一の形状を有する場合に、かなり単純化される。
【図面の簡単な説明】
【００１３】
以下、添付の図面に示された例示的な実施形態を参照して、より詳細に本発明の説明をする：
【図１ａ】図１ａおよび図１ｂは、それぞれ斜め上方から見た斜視図で、取付具（図１ａ）および２つのワークピースのための２つのこのような取付具を有するコネクタ（図１ｂ）を示す；
【図１ｂ】図１ａおよび図１ｂは、それぞれ斜め上方から見た斜視図で、取付具（図１ａ）および２つのワークピースのための２つのこのような取付具を有するコネクタ（図１ｂ）を示す；
【図２ａ】図２ａおよび図２ｂは図１ｂのコネクタの変形例を、ワークピースのない取り付け位置において斜め上方から見た斜視図（図２ａ）で示し、一部を示した２つのワークピース上から見た側面図（図２ｂ）で示す；
【図２ｂ】図２ａおよび図２ｂは図１ｂのコネクタの変形例を、ワークピースのない取り付け位置において斜め上方から見た斜視図（図２ａ）で示し、一部を示した２つのワークピース上から見た側面図（図２ｂ）で示す；
【図３ａ】図３ａ〜３ｃは図１ｂ、２ａまたは２ｂからのコネクタの突出部の変形例を、斜め上方からの斜視図（図３ａ）、断面図（図３ｂ）、および側面図（図３ｃ）で示す；
【図３ｂ】図３ａ〜３ｃは図１ｂ、２ａまたは２ｂからのコネクタの突出部の変形例を、斜め上方からの斜視図（図３ａ）、断面図（図３ｂ）、および側面図（図３ｃ）で示す；
【図３ｃ】図３ａ〜３ｃは図１ｂ、２ａまたは２ｂからのコネクタの突出部の変形例を、斜め上方からの斜視図（図３ａ）、断面図（図３ｂ）、および側面図（図３ｃ）で示す；
【図４】図４、５、６ａおよび６ｂはコネクタの取付具のさらなる実施形態を示し、より具体的には、変形例を斜め上方からの斜視図（図４）で示し、本発明による突起を有する別の変形例を側面図（図５）で示し、およびさらなる変形例をそれぞれ斜め上方からの斜視図（図６ａおよび６ｂ）で示す。
【図５】図４、５、６ａおよび６ｂはコネクタの取付具のさらなる実施形態を示し、より具体的には、変形例を斜め上方からの斜視図（図４）で示し、本発明による突起を有する別の変形例を側面図（図５）で示し、およびさらなる変形例をそれぞれ斜め上方からの斜視図（図６ａおよび６ｂ）で示す。
【図６ａ】図４、５、６ａおよび６ｂはコネクタの取付具のさらなる実施形態を示し、より具体的には、変形例を斜め上方からの斜視図（図４）で示し、本発明による突起を有する別の変形例を側面図（図５）で示し、およびさらなる変形例をそれぞれ斜め上方からの斜視図（図６ａおよび６ｂ）で示す。
【図６ｂ】図４、５、６ａおよび６ｂはコネクタの取付具のさらなる実施形態を示し、より具体的には、変形例を斜め上方からの斜視図（図４）で示し、本発明による突起を有する別の変形例を側面図（図５）で示し、およびさらなる変形例をそれぞれ斜め上方からの斜視図（図６ａおよび６ｂ）で示す。
【００１４】
〔発明の詳細な説明〕
図１ａ、図１ｂ、図２ａおよび図２ｂは、木、特に接着集成材、コンクリート、積み石、石材、金属で作られた２つのワークピース２、３、例えば、梁、および／または垂直な構成材、例えば柱、支柱、または壁のためのコネクタ１のための実施例を示す。コネクタ１は、第１および第２の取付具４、５を有する。第１の取付具４はその一方の面６がワークピース２、３の一つに取り付けられ、第２の取付具５はその他方の面７がワークピース２、３の他方に取り付けられる。この目的のために、取付具４、５の各々は、例えば当該ワークピース２、３に固定されたスクリュー９、釘、ピン等のための孔８を有する。
【００１５】
他方の面１０の手段によって、第１の取付具４は第２の取付具５の他方の面１１に固定され、２つのワークピース２、３はこのようにして互いに接続される。２つの取付具４、５は、それぞれ一方の面と他方の面６、７、１０、１１の間に周囲を取り巻く端面１２、１３を有している。
【００１６】
２つの取付具４、５をそれらの他方の面１０、１１の手段によって互いに固定するために、少なくとも第１の取付具４はその他方の面１０にアンダーカット１５を有する突起１４を有し、少なくとも第２の取付具５はその端面１３から始まりアンダーカット１５と対応するスロット１６を有し、このスロットにおいて、第１の取付具４の突起１４は、アンダーカット１５をスロット１６に挿入することによって固定される。言うまでもなく、図２ｂの実施例に示されるように、第１の取付具４は支持されるワークピース２、例えば梁、に取り付けられる取付具であってもよく、第２の取付具５は支持されるワークピース３、例えば支柱、に取り付けられる取付具であり、またはその逆である。
【００１７】
アンダーカット１５を有する突起１４のスロット１６への挿入を円滑にするために、スロットは任意にＶ字形の口部１６’を有する。図示の実施例のように、スロット１６は一方の面７から他方の面１１まで第２の取付具５を貫通することができ、あるいは、他方では第２の取付具５の他方の面１１の単に溝として具体化することができる。スロット１６は、図１ａの実施例のように、突起１４のアンダーカット１５の形状に任意に適合されてもよく、ここでは面取りされ、所望であれば、他方の面１１上に持ち上げられてもよい。取付具４、５は、図示された実施例のように、大部分が板状であってもよく、または別の適切な断面を有してもよい。さらに、図１ｂの実施例のように、両方の取付具４、５は、第１の取付具４および第２の取付具５の両方がそれぞれ、アンダーカット１５を有する突起１４と、他方の取付具４、５の突起１４を固定するためのスロット１６とを有するように、任意に、同一の形状を有してもよく、または互いに鏡面対称であってもよい。
【００１８】
少なくとも取付具４、５のうち１つは、その他方の面１０、１１に、スロット１６の方向に対して横方向に延びる突出部１７を有する。他方の取付具４、５の端面１２、１３は、突起１４がスロット１６に固定された位置にあるとき、この突出部１７上に載る。突出部１７は、例えば屈曲または成形により当該取付具４、５に一体的に形成され、または図１ａの実施例のように例えば前記他方の面１０、１１上に、または図２ａの実施例のようにその端面１２、１３上に溶接される。あるいは、突出部１７は当該取付具４、５にねじ止めされてもよく、または取付具４、５の一方の面および他方の面６、７、１０、１１を貫通する穴８’を通して当該ワークピース２、３に固定することによって取付具４、５に固定されてもよい。
【００１９】
図３ａ〜３ｃの典型的な実施形態では、突出部１７は立方形である。あるいは、突出部１７は、少なくとも部分的に他の取付具４、５の支持端面１２、１３を支えるために適した別の形状を有してもよい。図３ａ〜３ｃに示す実施例の突出部１７は、ワークピース２、３の１つに取り付けるためのスクリュー９を受け入れるための孔８’によって貫通されている。図３ａ〜図３ｃの実施例では、突出部１７が任意に、取付具４、５の前記一方の面６、７に対して鋭角αで突出部１７を貫通する少なくとも１つの孔１８（図３ａの実施例では２つの孔１８）を有し、取付具４、５をスクリュー１９の補助で傾けてワークピース２、３にねじ込むことができる。この実施例では、突出部１７は、傾いた孔１８（ここでは直角）が開始する場所から、任意の面取り部２０を有する。
【００２０】
孔８、１８は、例えば円筒状（図３ｂ）または円錐状（図３ｃ）に、任意に窪んでいる。図３ｃの典型的な実施形態では、孔８’の１つは、また、ワークピース２、３に予めねじ込まれた位置決めスクリューの頭部、または取付具４、５のための位置決めピン（図示せず）の頭部を受け入れるために、取付具４、５の一方の面６、７に円筒状の拡張部２１を有する。
【００２１】
図４の典型的な実施形態では、例えばアンダーカット１５を有する突出部１７の凸部として、突起１４が突出部１７と一体的に形成される。この実施例では、突出部１７はまた、その変形例において、全ての実施形態に対して任意である孔８’、１８を有さないで示されている。
【００２２】
あるいは、突起１４は、さらなる図示の実施例において、前記他方の面１０、１１から突出するスタッド２２によって形成され、スタッドは広がったヘッド２３を有し、それによって、アンダーカット１５はヘッド２３と他方の面１０、１１との間に形成される。ヘッド２３は、例えば球状、円筒状、または図示のように円錐状であってもよい。図１ａの実施例では、スタッド２２は取付具４、５に溶接されているが、代わりにねじ止めされていてもよい。
【００２３】
図５は、本発明による別の実施例を示し、ここでスタッド２２は取付具４、５に軸方向に移動可能なように取り付けられ、そのヘッド２３による当該取付具４、５の前記一方の面６、７に向かったばね仕掛けである。この実施例では、スタッド２２は取付具４、５の両方の面６、７、１０、１１を貫通し、他方の面１０、１１はストップ２４を有し、ヘッド２３の反対側の端部には、フランジ２５と取付具４、５の一方の面６、７との間にクランプされたばね２６に作用するフランジ２５を有する。軸方向に移動可能なスタッド２２のばね荷重の他の変形例は、当業者には非常によく知られている。
【００２４】
図６ａおよび６ｂによるさらなる実施形態では、取付具４、５は実質的に合同であり、前記スロット１６にほぼ平行な端部１２’、１２”、１３’、１３”を有する。チーク２７が少なくとも１つの取付具４、５（ここでは両方の取付具４、５）の前記端部１２’、１２”、１３’、１３”に形成され、突起１４がスロット１６に固定された位置にあるときに、チーク２７が２つの取付具４、５の間の横方向の力を伝達するように、他の取付具４、５が前記チークの間に横方向に保持される。言うまでもなく、取付具４、５の適切な鏡面対称な実施形態では、同様の趣旨で、取付具４、５の各々はその端部１２’、１２”、１３’、１３”の一方にのみチーク２７を有することができ、両方にはない。
【００２５】
本発明は、提示された実施形態に限定されるものではなく、添付の特許請求の範囲内にある全ての変形、修正、および組み合わせを含む。
【図１ａ】
2020534455.tif 000003
【図１ｂ】
2020534455.tif 000004
【図２ａ】
2020534455.tif 000005
【図２ｂ】
2020534455.tif 000006
【図３ａ】
2020534455.tif 000007
【図３ｂ】
2020534455.tif 000008
【図３ｃ】
2020534455.tif 000009
【図４】
2020534455.tif 000010
【図５】
2020534455.tif 000011
【図６ａ】
2020534455.tif 000012
【図６ｂ】
2020534455.tif 000013
【国際調査報告】
2020534455.tif 000014
2020534455.tif 000015
2020534455.tif 000016
2020534455.tif 000017